(57)【要約】【課題】載置トレイを引き出し可能に備えた画像形成装置、又は、載置トレイを引き出し可能に備えて画像形成装置に増設される増設装置において、当該装置を持ち上げたときに載置トレイが飛び出すのを良好に抑制すること。【解決手段】プリンタ１を持ち上げるための手掛け部２０はプリンタ１の重心Ｇ１よりも前側に偏った位置に設けられている。このため、手掛け部２０に手を掛けてプリンタ１を持ち上げると、当該プリンタ１には本体給紙トレイ４の引き出し方向側である前側を上げる回転モーメントが作用する。したがって、持ち上げたときにプリンタ１の前側が下を向いて本体給紙トレイ４が飛び出すのを、良好に抑制することができる。【選択図】図２
2014089417.tif 000002
【特許請求の範囲】
【請求項１】
被記録媒体が載置される載置トレイと、
前記載置トレイに載置された被記録媒体に画像を形成する画像形成部と、
前記画像形成部を収納し、かつ、前記載置トレイが水平方向に引き出し可能に装着される筐体と、
を備えた画像形成装置であって、
前記載置トレイの引き出し経路を挟んで対向する前記筐体の一対の側面の、当該画像形成装置の重心よりも前記載置トレイの引き出し方向に偏った位置にそれぞれ設けられ、当該画像形成装置を持ち上げるための一対の手掛け部を、
備えたことを特徴とする画像形成装置。
【請求項２】
前記各手掛け部の一部が、それぞれ前記引き出し方向の位置において前記重心と重畳することを特徴とする請求項１に記載の画像形成装置。
【請求項３】
前記一対の手掛け部における下方から指が掛かる面が、前記載置トレイの引き出し方向へ行くほど低くなるように傾斜していることを特徴とする請求項１又は２に記載の画像形成装置。
【請求項４】
被記録媒体が載置される載置トレイと、
前記載置トレイに載置された被記録媒体に画像を形成する画像形成部と、
前記画像形成部を収納し、かつ、前記載置トレイが水平方向に引き出し可能に装着される筐体と、
を備えた画像形成装置であって、
前記載置トレイの引き出し経路を挟んで対向する前記筐体の一対の側面に設けられ、下方から指が掛かる面が前記載置トレイの引き出し方向へ行くほど低くなるように傾斜した当該画像形成装置を持ち上げるための一対の手掛け部を、
備えたことを特徴とする画像形成装置。
【請求項５】
被記録媒体が載置される載置トレイと、
前記載置トレイが水平方向に引き出し可能に装着される筐体と、
を備え、
前記載置トレイに載置された被記録媒体に画像を形成する画像形成部を備えた画像形成装置に増設される増設装置であって、
前記載置トレイの引き出し経路を挟んで対向する前記筐体の一対の側面の、当該増設装置の重心よりも前記載置トレイの引き出し方向に偏った位置にそれぞれ設けられ、当該増設装置を持ち上げるための一対の手掛け部を、
備えたことを特徴とする増設装置。
【請求項６】
前記各手掛け部の一部が、それぞれ前記引き出し方向の位置において前記重心と重畳することを特徴とする請求項５に記載の増設装置。
【請求項７】
前記一対の手掛け部における下方から指が掛かる面が、前記載置トレイの引き出し方向へ行くほど低くなるように傾斜していることを特徴とする請求項５又は６に記載の増設装置。
【請求項８】
被記録媒体が載置される載置トレイと、
前記載置トレイが水平方向に引き出し可能に装着される筐体と、
を備え、
前記載置トレイに載置された被記録媒体に画像を形成する画像形成部を備えた画像形成装置に増設される増設装置であって、
前記載置トレイの引き出し経路を挟んで対向する前記筐体の一対の側面に設けられ、下方から指が掛かる面が前記載置トレイの引き出し方向へ行くほど低くなるように傾斜した当該増設装置を持ち上げるための一対の手掛け部を、
備えたことを特徴とする増設装置。
【発明の詳細な説明】
【技術分野】
【０００１】
本発明は、被記録媒体が載置される載置トレイを引き出し可能に備えてその載置トレイに載置された被記録媒体に画像を形成する画像形成装置、及び、被記録媒体が載置される載置トレイを引き出し可能に備えて画像形成装置に増設される増設装置に関する。
【背景技術】
【０００２】
従来、被記録媒体が載置される載置トレイを備え、その載置トレイに載置された被記録媒体に画像を形成する画像形成装置が考えられている。そして、そのような画像形成装置は、前記画像形成部を収納し、かつ、前記載置トレイが水平方向に引き出し可能に装着される筐体を備えている場合がある。更に、その場合、前記載置トレイの引き出し経路を挟んで対向する前記筐体の一対の側面に、当該画像形成装置を持ち上げるための一対の手掛け部を設ける場合もある。そのような手掛け部の配置としては、当該画像形成装置の重心を通過し、かつ、前記一対の側面に垂直な軸線に対して、一方の手掛け部を前面側に、他方の手掛け部を背面側に、それぞれ偏らせて設けることが提案されている（例えば、特許文献１参照）。
【先行技術文献】
【特許文献】
【０００３】
【特許文献１】特開平６−２３０６２３号公報
【発明の概要】
【発明が解決しようとする課題】
【０００４】
特許文献１では、前述のように手掛け部を配置することによって、画像形成装置を持ち上げたときにその画像形成装置が前記軸線回りに回転するのを抑制し、画像形成装置を水平に維持することができるとしているが、その場合、次のような課題が生じる。すなわち、この種の画像形成装置では、載置トレイに載置可能な被記録媒体の量（例えば、被記録媒体としての用紙の枚数）が増加する傾向がある。その場合、画像形成装置を持ち上げたときにバランスが崩れて載置トレイが筐体から飛び出さないようにしておくことが重要となる。前記特許文献１では、画像形成装置自身が前記軸線回りに回転するのを抑制する点を課題としており、載置トレイの引き出し方向については全く考慮されていない。このため、特許文献１に記載の装置は、載置トレイが筐体から飛び出すのを抑制するためには改善の余地があった。
【０００５】
なお、載置トレイが筐体から飛び出すのを抑制するために、バネ等を利用したロック機構を設けることも考えられるが、ロック機構のバネを強くし過ぎると使用者による載置トレイの引き出し作業に支障を来し、この機構による飛び出し抑制にも限界がある。また、被記録媒体に画像を形成する画像形成装置には、その被記録媒体が載置される載置トレイを備えた増設装置を増設する場合があるが、その場合も、増設装置が単体で持ち上げられたときに載置トレイの飛び出しを抑制する必要がある。
【０００６】
そこで、本発明は、載置トレイを引き出し可能に備えた画像形成装置、又は、載置トレイを引き出し可能に備えて画像形成装置に増設される増設装置において、当該装置を持ち上げたときに載置トレイが飛び出すのを良好に抑制することを目的としてなされた。
【課題を解決するための手段】
【０００７】
前記目的を達するためになされた本発明は、被記録媒体が載置される載置トレイと、前記載置トレイに載置された被記録媒体に画像を形成する画像形成部と、前記画像形成部を収納し、かつ、前記載置トレイが水平方向に引き出し可能に装着される筐体と、を備えた画像形成装置であって、前記載置トレイの引き出し経路を挟んで対向する前記筐体の一対の側面の、当該画像形成装置の重心よりも前記載置トレイの引き出し方向に偏った位置にそれぞれ設けられ、当該画像形成装置を持ち上げるための一対の手掛け部を、備えたことを特徴としている。
【０００８】
このように構成された本発明の画像形成装置では、画像形成部によって画像が形成される被記録媒体が載置される載置トレイは、前記画像形成部を収納した筐体に、水平方向に引き出し可能に装着される。そして、その筐体の、前記載置トレイの引き出し経路を挟んで対向する一対の側面には、当該画像形成装置を持ち上げるための一対の手掛け部が設けられている。
【０００９】
この手掛け部は、当該画像形成装置の重心よりも前記載置トレイの引き出し方向に偏った位置にそれぞれ設けられている。このため、この一対の手掛け部に手を掛けて画像形成装置を持ち上げると、当該画像形成装置には載置トレイの引き出し方向側を上げる回転モーメントが作用し、当該側が下を向いて載置トレイが飛び出すのを良好に抑制することができる。
【００１０】
なお、前記各手掛け部の一部は、それぞれ前記引き出し方向の位置において前記重心と重畳してもよい。その場合、前記一部に掛かった指から加わる力は前記回転モーメントを作用させない。したがって、その場合、画像形成装置に前記回転モーメントが過剰に作用するのを抑制して、当該画像形成装置を安定して持ち上げることが可能となる。
【００１１】
また、前記一対の手掛け部における下方から指が掛かる面は、前記載置トレイの引き出し方向へ行くほど低くなるように傾斜していてもよい。手掛け部に下方から指をかけて画像形成装置を持ち上げる場合、人間の自然な感覚としては、各指が水平に揃うように力を加えるのが普通である。このため、一対の手掛け部における下方から指が掛かる面が前述のように傾斜している場合、各指が水平に揃うと、画像形成装置は載置トレイの引き出し方向側が上げるように傾斜し、載置トレイが飛び出すのを一層良好に抑制することができる。
【００１２】
また、本発明は、被記録媒体が載置される載置トレイと、前記載置トレイに載置された被記録媒体に画像を形成する画像形成部と、前記画像形成部を収納し、かつ、前記載置トレイが水平方向に引き出し可能に装着される筐体と、を備えた画像形成装置であって、前記載置トレイの引き出し経路を挟んで対向する前記筐体の一対の側面に設けられ、下方から指が掛かる面が前記載置トレイの引き出し方向へ行くほど低くなるように傾斜した当該画像形成装置を持ち上げるための一対の手掛け部を、備えたことを特徴とするものであってもよい。
【００１３】
このように構成された本発明の画像形成装置では、画像形成部によって画像が形成される被記録媒体が載置される載置トレイは、前記画像形成部を収納した筐体に、水平方向に引き出し可能に装着される。そして、その筐体の、前記載置トレイの引き出し経路を挟んで対向する一対の側面には、当該画像形成装置を持ち上げるための一対の手掛け部が設けられている。
【００１４】
この手掛け部における下方から指が掛かる面は、前記載置トレイの引き出し方向へ行くほど低くなるように傾斜している。手掛け部に下方から指をかけて画像形成装置を持ち上げる場合、人間の自然な感覚としては、各指が水平に揃うように力を加えるのが普通である。このため、一対の手掛け部における下方から指が掛かる面が前述のように傾斜していることにより、各指が水平に揃うと、本発明の画像形成装置は載置トレイの引き出し方向側が上げるように傾斜し、載置トレイが飛び出すのを良好に抑制することができる。
【００１５】
また、本発明は、被記録媒体が載置される載置トレイと、前記載置トレイが水平方向に引き出し可能に装着される筐体と、を備え、前記載置トレイに載置された被記録媒体に画像を形成する画像形成部を備えた画像形成装置に増設される増設装置であって、前記載置トレイの引き出し経路を挟んで対向する前記筐体の一対の側面の、当該増設装置の重心よりも前記載置トレイの引き出し方向に偏った位置にそれぞれ設けられ、当該増設装置を持ち上げるための一対の手掛け部を、備えたことを特徴とするものであってもよい。
【００１６】
このように構成された本発明の増設装置は、画像形成部を備えた画像形成装置に増設されるもので、前記画像形成部によって画像が形成される被記録媒体が載置される載置トレイが、筐体に水平方向に引き出し可能に装着される。そして、その筐体の、前記載置トレイの引き出し経路を挟んで対向する一対の側面には、当該増設装置を持ち上げるための一対の手掛け部が設けられている。
【００１７】
この手掛け部は、当該増設装置の重心よりも前記載置トレイの引き出し方向に偏った位置にそれぞれ設けられている。このため、この一対の手掛け部に手を掛けて増設装置を単体で持ち上げると、当該増設装置には載置トレイの引き出し方向側を上げる回転モーメントが作用し、当該側が下を向いて載置トレイが飛び出すのを良好に抑制することができる。
【００１８】
なお、前記各手掛け部の一部は、それぞれ前記引き出し方向の位置において前記重心と重畳してもよい。その場合、前記一部に掛かった指から加わる力は前記回転モーメントを作用させない。したがって、その場合、増設装置に前記回転モーメントが過剰に作用するのを抑制して、当該増設装置を安定して持ち上げることが可能となる。
【００１９】
また、前記一対の手掛け部における下方から指が掛かる面は、前記載置トレイの引き出し方向へ行くほど低くなるように傾斜していてもよい。手掛け部に下方から指をかけて増設装置を持ち上げる場合、人間の自然な感覚としては、各指が水平に揃うように力を加えるのが普通である。このため、一対の手掛け部における下方から指が掛かる面が前述のように傾斜している場合、各指が水平に揃うと、増設装置は載置トレイの引き出し方向側が上げるように傾斜し、載置トレイが飛び出すのを一層良好に抑制することができる。
【００２０】
また、本発明は、被記録媒体が載置される載置トレイと、前記載置トレイが水平方向に引き出し可能に装着される筐体と、を備え、前記載置トレイに載置された被記録媒体に画像を形成する画像形成部を備えた画像形成装置に増設される増設装置であって、前記載置トレイの引き出し経路を挟んで対向する前記筐体の一対の側面に設けられ、下方から指が掛かる面が前記載置トレイの引き出し方向へ行くほど低くなるように傾斜した当該増設装置を持ち上げるための一対の手掛け部を、備えたことを特徴とするものであってもよい。
【００２１】
このように構成された本発明の増設装置は、画像形成部を備えた画像形成装置に増設されるもので、前記画像形成部によって画像が形成される被記録媒体が載置される載置トレイが、筐体に水平方向に引き出し可能に装着される。そして、その筐体の、前記載置トレイの引き出し経路を挟んで対向する一対の側面には、当該増設装置を持ち上げるための一対の手掛け部が設けられている。
【００２２】
この手掛け部における下方から指が掛かる面は、前記載置トレイの引き出し方向へ行くほど低くなるように傾斜している。手掛け部に下方から指をかけて増設装置を単体で持ち上げる場合、人間の自然な感覚としては、各指が水平に揃うように力を加えるのが普通である。このため、一対の手掛け部における下方から指が掛かる面が前述のように傾斜していることにより、各指が水平に揃うと、本発明の増設装置は載置トレイの引き出し方向側が上げるように傾斜し、載置トレイが飛び出すのを良好に抑制することができる。
【図面の簡単な説明】
【００２３】
【図１】本発明を適用したプリンタの外観を表す斜視図である。
【図２】そのプリンタの構成を表す概略断面図である。
【図３】そのプリンタの手掛け部の構成を表す断面図である。
【図４】そのプリンタのオプショントレイの外観を表す斜視図である。
【図５】そのオプショントレイ装着後の前記プリンタの外観を表す斜視図である。
【図６】そのオプショントレイ装着後プリンタの構成を表す概略断面図である。
【図７】そのオプショントレイ装着後プリンタの変形例の外観を表す斜視図である。
【図８】本発明を適用した複合機の外観を表す斜視図である。
【発明を実施するための形態】
【００２４】
以下、本発明の実施の形態を、実施例を挙げて説明する。なお、本発明の実施の形態は、下記の実施例に何ら限定されることなく、本発明の技術的範囲に属する限り種々の形態を採りうることはいうまでもない。先ず、図１は、本発明が適用された画像形成装置としてのプリンタ１の外観を表す斜視図である。また、図２は、そのプリンタ１の概略断面図である。
【００２５】
［プリンタの内部構成］
本実施例のプリンタ１は、図２に示すように、筐体２内に画像形成部１０を備え、その下方に、上質紙等の用紙Ｐ（被記録媒体の一例）が載置される本体給紙トレイ４（載置トレイの一例）を、図１に示すように水平方向に引き出し可能に備えている。なお、以下の説明において、プリンタ１の正面側、すなわち、本体給紙トレイ４の引き出し方向側（図２（Ａ）における左側）を前側といい、プリンタ１を正面側から見た右側（図２（Ａ）の手前側）を右側という場合がある。
【００２６】
本体給紙トレイ４は、筐体２の底部に装着され、内部に押圧板６を備えている。押圧板６は、上面に用紙Ｐを積層状に保持可能で、後端を中心に揺動可能に構成されており、図示省略したバネによって前端が上方に付勢されている。筐体２の内部には、図示省略した分離パッドとの協働により押圧板６に積層された用紙Ｐのうち最上位の用紙Ｐを分離して給紙する給紙ローラ８と、その給紙ローラ８から給紙された用紙Ｐを画像形成部１０まで搬送する各種ローラ９とが設けられている。
【００２７】
画像形成部１０は、感光体ドラム１１と転写ローラ１２との間に用紙Ｐを挟んで後方に搬送する間に、その用紙Ｐにトナー像を形成するものであり、感光体ドラム１１，転写ローラ１２の他に、帯電器１３，スキャナユニット１４，現像ローラ１５，定着器１７を備えている。
【００２８】
感光体ドラム１１は、ドラム本体が接地されると共に、その表面に正帯電性の感光層が形成されており、図２（Ａ）における反時計方向に回転可能に支持されている。また、感光体ドラム１１の外周には、帯電器１３，スキャナユニット１４，及び現像ローラ１５が、転写ローラ１２との対向部から感光体ドラム１１の回転方向に沿って順次配設されている。帯電器１３は、正帯電用のスコロトロン型帯電器であり、感光体ドラム１１の表面を一様に正極性に帯電させるように構成されている。スキャナユニット１４は、レーザダイオード及びポリゴンモータ（いずれも図示量略）を内蔵し、画像データに応じて感光体ドラム１１の表面を露光する周知のものである。現像ローラ１５は、図示省略したトナー収容室に収容された正帯電性非磁性１成分トナーを、正極性に帯電させながら薄層として感光体ドラム１１の表面に供給する周知のものである。
【００２９】
このため、感光体ドラム１１の表面は、その感光体ドラム１１の回転に伴って、先ず、帯電器１３により一様に正帯電され、その後、スキャナユニット１４により露光される。これによって、感光体ドラム１１の表面には、画像データに応じた静電潜像が形成される。次いで、現像ローラ１５により、正帯電されているトナーが感光体ドラム１１に供給されると、そのトナーは、感光体ドラム１１の表面上に形成された静電潜像、すなわち、一様に正帯電されている感光体ドラム１１の表面のうち、露光されて電位が下がっている部分に供給され、選択的に担持されることによって可視像化され、これによってトナー像が形成される。
【００３０】
転写ローラ１２は、図２（Ａ）における時計方向に回転可能に支持されている。この転写ローラ１２は、転写バイアス（転写順バイアス）を印加可能に構成されている。このため、感光体ドラム１１の表面上に担持された前記トナー像は、用紙Ｐが感光体ドラム１１と転写ローラ１２との間を通る間に、用紙Ｐに転写される。前記トナー像転写後の用紙Ｐは、加熱ローラ１７Ａと加圧ローラ１７Ｂとを備えた定着器１７へ搬送され、前記トナー像が熱定着される。
【００３１】
トナー像が熱定着された後の用紙Ｐは、図示省略した排紙パスによって前方へ折り返され、排紙ローラ１８を介して、筐体２の上面に設けられた排紙トレイ２Ａへ排出される。また、画像形成部１０の下方には、片面にトナー像が転写されて更に定着器１７を通過した用紙Ｐを表裏反転した状態で再び画像形成部１０に送るための再搬送ローラ１９が複数対設けられている。
【００３２】
［プリンタの手掛け部の構成］
また、図１，図２（Ａ）に示すように、本体給紙トレイ４の引き出し経路を挟んで対向する筐体２の左右側面には、一対の手掛け部２０が設けられている。この手掛け部２０は、図２（Ａ）に示すように、プリンタ１の重心Ｇ１よりも前側に偏った位置に設けられている。また、各手掛け部２０における上面２０Ａ、すなわち下方から指が掛かる面は、前方へ行くほど低くなるように傾斜しており、その上面２０Ａの後端は、重心Ｇ１よりも後方に達している。
【００３３】
なお、図２（Ａ），（Ｂ）には、重心Ｇ１から鉛直に下ろした直線Ｌ１と、上面２０Ａの中心を通る鉛直な直線Ｌ２とを図示しているので参照されたい。また、重心Ｇ１は、本体給紙トレイ４を筐体２に収納した状態における重心である。なお、給紙トレイ４に載置（積載）される用紙Ｐは、その積載量に応じて、プリンタ１全体の重量を増加させることになるが、プリンタ１全体の重量に対して増加させる比率は小さく、給紙トレイ４に載置可能な最大積載量においても、図２（Ａ），（Ｂ）に示される直線Ｌ１とＬ２との前後の位置関係は維持される。
【００３４】
また、手掛け部２０の前面２０Ｂと後面２０Ｃとは、筐体２の底面から少なくとも上面２０Ａより急な角度で切り立っている。このため、この前面２０Ｂ及び後面２０Ｃは、手掛け部２０の上面２０Ａに掛けられた指が前後方向に外れるのを抑制する。
【００３５】
図３（Ａ）は、手掛け部２０の中心を通る前後方向に垂直な面で筐体２を切断した断面図である。また、図３（Ｂ）は、その断面図の手掛け部２０の近傍を拡大して表す図である。なお、図３では、本体給紙トレイ４等は図示省略している。図３（Ａ），（Ｂ）に示すように、手掛け部２０は、筐体２の下端を断面矩形に凹ませた形状を有しており、上面２０Ａの外縁部には、前後方向に連続して下方に突出した凸条２１が形成されている。
【００３６】
このため、この凸条２１は、手掛け部２０の上面２０Ａに掛けられた指が左右方向外側に外れるのを抑制する。なお、図３（Ｃ）に例示するように、凸条２１は上面２０Ａに複数列設けられてもよく、その場合も同様の効果が生じる。
【００３７】
本実施例では、前述のように、各手掛け部２０がプリンタ１の重心Ｇ１よりも前側に偏った位置にそれぞれ設けられている。このため、この一対の手掛け部２０に手を掛けてプリンタ１を持ち上げると、当該プリンタ１には本体給紙トレイ４の引き出し方向側である前側を上げる回転モーメントが作用する。したがって、本実施例では、持ち上げたときにプリンタ１の前側が下を向いて本体給紙トレイ４が飛び出すのを、良好に抑制することができる。
【００３８】
また、図２（Ａ）に示すように、各手掛け部２０の一部は、前後方向の位置において重心Ｇ１と重畳している。このため、各手掛け部２０の前記一部に掛かった指から加わる力は、前記回転モーメントを作用させない。したがって、本実施例では、プリンタ１に前記回転モーメントが過剰に作用するのを抑制して、当該プリンタ１を安定して持ち上げることが可能となる。
【００３９】
また、手掛け部２０の上面２０Ａは、本体給紙トレイ４の引き出し方向へ行くほど低くなるように傾斜している。手掛け部２０に下方から指をかけてプリンタ１を持ち上げる場合、人間の自然な感覚としては、各指が水平に揃うように力を加えるのが普通である。そして、このように前記各指が水平に揃って、図２（Ｂ）に示すように上面２０Ａが水平になると、プリンタ１は本体給紙トレイ４の前側（引き出し方向側）が上げるように傾斜する。したがって、本実施例では、本体給紙トレイ４が飛び出すのを一層良好に抑制することができる。
【００４０】
［オプショントレイの構成］
図４は、筐体２の下方に増設可能に構成されたオプショントレイ４１（増設装置の一例）の外観を表す斜視図である。図４に示すように、オプショントレイ４１は、筐体４２に、水平方向前側へ引き出し可能な増設給紙トレイ４４（載置トレイの一例）を備えている（図５参照）。また、オプショントレイ４１の上面には、複数のピン５１，５２，５３が突設されている。このピン５１，５２，５３は、図５に示すようにプリンタ１の下方にオプショントレイ４１が増設されたときに、筐体２の下面に設けられた穴に挿入される。これによって、オプショントレイ４１は筐体２に対して位置決めされる。
【００４１】
また、図６（Ａ）の概略断面図に示すように、増設給紙トレイ４４の内部には、押圧板６と同様に後端を中心に揺動可能な押圧板４６が設けられている。更に、オプショントレイ４１の内部には、押圧板４６に積層された用紙Ｐのうち最上位の用紙Ｐを分離して給紙する給紙ローラ４８も設けられている。なお、本体給紙トレイ４の前部には、用紙Ｐが上下方向に貫通可能な穴（図示省略）が設けられており、給紙ローラ４８によって給紙された用紙Ｐはその穴を通って前述の各種ローラ９へ送られる。
【００４２】
また、図４，図６（Ａ）に示すように、増設給紙トレイ４４の引き出し経路を挟んで対向する筐体４２の左右側面には、一対の手掛け部６０が設けられている。この手掛け部６０は、図６（Ａ）に示すように、オプショントレイ４１の重心Ｇ４よりも前側に偏った位置に設けられている。また、各手掛け部６０における上面６０Ａ、すなわち下方から指が掛かる面は、前方へ行くほど低くなるように傾斜しており、その上面６０Ａの後端は、重心Ｇ４よりも後方に達している。
【００４３】
なお、図６（Ａ），（Ｂ）には、重心Ｇ４から鉛直に下ろした直線Ｌ４と、上面６０Ａの中心を通る鉛直な直線Ｌ５とを図示しているので参照されたい。また、重心Ｇ４は、増設給紙トレイ４４を筐体４２に収納した状態における重心である。なお、増設給紙トレイ４４に載置（積載）される用紙Ｐは、その積載量に応じて、オプショントレイ４４全体の重量を増加させることになるが、オプショントレイ４４全体の重量に対して増加させる比率は小さく、給紙トレイ４に載置可能な最大積載量においても、図６（Ａ），（Ｂ）に示される直線Ｌ４とＬ５との前後の位置関係は維持される。
【００４４】
また、手掛け部６０の前面６０Ｂと後面６０Ｃとは、筐体２の底面から少なくとも上面６０Ａより急な角度で切り立っている。このため、この前面６０Ｂ及び後面６０Ｃは、手掛け部６０の上面６０Ａに掛けられた指が前後方向に外れるのを抑制する。
【００４５】
このように、本実施例のオプショントレイ４１の手掛け部６０は、そのオプショントレイ４１の重心Ｇ４に対して、重心Ｇ１に対する手掛け部２０の関係と同様の関係を有している。また、上面６０Ａも上面２０Ａと同様に傾斜している。このため、オプショントレイ４１を単体で持ち上げる場合にも、プリンタ１と同様に、増設給紙トレイ４４が飛び出すのを抑制することができる。また、各手掛け部６０の一部は、前後方向の位置において重心Ｇ４と重畳しているので、オプショントレイ４１を安定して持ち上げることが可能となる。なお、本実施例のオプショントレイ４１は、単体で持ち運ぶことを前提としており、プリンタ１と一体にして持ち運ぶことは想定されていない。
【００４６】
［本発明の他の実施例］
なお、本発明は前記実施例に限定されるものではなく、本発明の要旨を逸脱しない範囲で種々の形態で実施することができる。例えば、手掛け部２０，６０は、必ずしも筐体２，４２の下端を凹ませた形状を有している必要はなく、図７に示すように、筐体２，４２の左右側面を窪ませた形状を有していてもよい。なお、図７には、前述の重心Ｇ１，Ｇ４を筐体２の右側面に左右方向に投影した位置を図示しているので、参照されたい。
【００４７】
また、本発明は複合機にも適用することができる。図８は、本発明が適用された複合機１００の構成を表す斜視図である。図８に示すように、複合機１００は、プリンタ１と同様に画像を形成するプリンタ１０１の上方（下方や側方であってもよい）に、原稿画像を読み取るスキャナ１０３を一体に備えている。また、複合機１００は、内蔵したモデムを介して電話回線とも接続可能である。
【００４８】
このため、複合機１００では、パーソナルコンピュータ等から送られた画像データに応じてプリンタ１０１による画像形成を行うプリンタ動作に加えて、次のような動作が実行可能である。すなわち、スキャナ１０３で読み取った原稿画像に応じてプリンタ１０１による画像形成を行うコピー動作、スキャナ１０３で読み取った原稿画像の画像データをパーソナルコンピュータ等に送るスキャナ動作、電話回線を介して送られた画像データに応じてプリンタ１０１による画像形成を行うＦＡＸ受信動作、スキャナ１０３で読み取った原稿画像の画像データを電話回線を介して送るＦＡＸ送信動作、等が実行可能である。
【００４９】
この複合機１００の筐体１０２にも、前側へ引き出し可能な給紙トレイ１０４（載置トレイの一例）が設けられている。また、筐体１０２の左右両側面には、複合機１００の重心Ｇ１００（図８には筐体１０２の右側面に左右方向に投影した位置を図示）に対して、重心Ｇ１に対する手掛け部２０の関係と同様の関係を有する一対の手掛け部１２０が設けられている。また、手掛け部１２０の上面も上面２０Ａと同様に傾斜している。
【００５０】
このため、複合機１００持ち上げる場合にも、プリンタ１と同様に、給紙トレイ１０４が飛び出すのを抑制することができる。また、図８に示すように、各手掛け部１２０の一部は、前後方向の位置において重心Ｇ１００と重畳しているので、複合機１００を安定して持ち上げることが可能となる。
【００５１】
また、前記各実施例は、感光体ドラム１１を使用したレーザ方式の画像形成部１０を備えるものとして説明したが、本発明は、インクジェット方式の画像形成部を備えた画像形成装置にも適用することができる。更に、図２（Ｂ），図６（Ｂ）に示すように、手掛け部２０，６０の上面２０Ａ，６０Ａが水平になると、重心Ｇ１，Ｇ４から下ろした直線Ｌ１，Ｌ４は手掛け部２０，６０よりも後方に配置される。直線Ｌ１，Ｌ４が手掛け部２０，６０よりも過度に後方に配置されるとプリンタ１またはオプショントレイ４１が持ちづらくなるので、注意が必要である。このように持ちづらくなるのを抑制するために、手掛け部２０，６０は更に後方に延長してもよい。また、手掛け部２０，６０の後方に、例えば小指だけが入るような補助的な手掛け部を設けて、バランスが崩れそうな場合はその手掛け部に小指等の１本の指を入れて支持できるようにしてもよい。
【符号の説明】
【００５２】
１，１０１…プリンタ      ２，４２，１０２…筐体          ４…本体給紙トレイ
６，４６…押圧板          ８，４８…給紙ローラ            １０…画像形成部
１１…感光体ドラム        ２０，６０，１２０…手掛け部    ２０Ａ，６０Ａ…上面
４１…オプショントレイ    ４４…増設給紙トレイ            １００…複合機
１０４…給紙トレイ        Ｐ…用紙
【図１】
2014089417.tif 000003
【図２】
2014089417.tif 000004
【図３】
2014089417.tif 000005
【図４】
2014089417.tif 000006
【図５】
2014089417.tif 000007
【図６】
2014089417.tif 000008
【図７】
2014089417.tif 000009
【図８】
2014089417.tif 000010